(57)【要約】      （修正有）【課題】複数の、薄手の重ねたビニール製の使い捨てドアノブカバーを提供する。【解決手段】ビニール２の覆いは、ドアノブ１の形により、掴み型・Ｌ字型等を用意し、且つ掴み方のドアノブを捻る動作は上部からドアノブを掴み取り捻るが、これによりビニールが破れないように、切り取りミシン目３を下部に入れてあり、ドアノブ使用後、最上部を、１枚はぎ破り、ドアの向こう側に用意されたゴミ箱に投入する。ノロウィルスのように、飛散し得る疾病流行時は、単に破り捨てるだけでなく、めくりあげて裏表逆にして、飛散防止の蓋などのついた専用のゴミ箱に捨てる。【選択図】図２
2014134083.tif 000002
【特許請求の範囲】
【請求項１】
薄いビニールに、ドアノブの形でビニールをドアノブ付け根でゴム輪上の留め具で固定し、視力に障害を持つ方の使用も想定し、接触して認識可能な出っ張りを設け、視覚障害者用点字を書く。ワイヤー・針金・帯など輪状固定器具等でも代用可である。切り取りミシン目を使う施設の使用者に応じ、十字型の四つ切、一字の二つ切り、ドアノブ下部とドアノブ付け根にドアノブと水平と垂直に設ける。例えば、介護施設でいえば、介護度の高い特別養護老人ホームなら、握力のより弱い高齢者が使用することを想定し、ミシン目を多く、学校など若年者で健常者のいるところなら、ミシン目をドアノブ付け根だけといった具合である。複数のビニールを被せ、且つ密着させる。最下層は、薄手の滑り止めゴム製を設け、空回りを防ぐ。そして、ドアノブ表用裏用、その他の識別用にビニールとこの最下層のゴムに色を付ければ、ドアノブ裏表、その他の介護度・高齢度・健常度別の施設別の種類のビニールカバーである目印とする。これは、介護・手術用のゴム手の手首部分を切り代用できる。回転式掴み型・Ｌ痔型ドアノブに両方に有効な構造とした、複数の、薄手の重ねたビニール製の使い捨てドアノブカバーである。ビニールの覆いは、ドアノブの形により、掴み型・Ｌ痔型等を用意し、且つ掴み方のドアノブを捻る動作は上部からドアノブを掴み取り捻るがこれによりビニールが破れないように切り取りミシン目を下部に入れてあり、ドアノブ使用後、最上部を、１枚はぎ破り、ドアの向こう側に用意されたゴミ箱に投入可能である。ノロウィルスのように、飛散し得る疾病流行時は、単に破り捨てるだけでなく、めくりあげて裏表逆にして、飛散防止の蓋などのついた専用のゴミ箱に捨てることも可能な、ビニール製の使い捨てドアノブカバー。
【発明の詳細な説明】
【技術分野】
【０００１】    本発明は、複数の、薄手の重ねたビニール製の使い捨てドアノブカバーに関するものである。
【技術背景】
【０００２】  ノロウィルスで、介護施設で高齢者が亡くなっている。この感染の可能性として、不特定多数が接触するドアノブ等が考えられる。この除菌に関しては、ドアノブを塩素系漂白剤で拭かなければ、アルコール除菌だけでは万全ではない。しかし、塩素系漂白剤は、ゴム製手袋を使って処理しなければならず、素手では触れない。
【０００３】  これに役に立たせるために、ドアノブ関して、医療現場で感染予防の、マスクが使い捨てであるゆに、ドアノブも使い捨てにでいないか、また丁度雨天時、雨に濡れた傘を店内に持ち込む前に入り口に薄手のビニール製傘カバーを用意し、来客にちぎって傘を収納させ、退店時に備え付けのゴミ箱に投入させる店があるように、ドアノブにも薄いビニール製の重ね着状態の使い捨て可能なドアノブカバーを用意し、１使用時に１枚、握力の弱い高齢者にも破り捨てることが可能な切り取り線入りの薄いビニール製のドアノブカバーをドアノブにつけ、且つ使用後破り捨て、それをドアの向こうの蓋付等のゴミ箱に捨てさせることが可能となったら、接触感染も少しは減り、高齢者や施設職員の発病率低減に貢献できると考えた。
【０００４】  握力の弱い高齢者でも、引きちぎることが可能にする。ドアノブを握り回す動作で、破れないようにする。一気に数枚を破ることも考慮する。破った薄いビニールは、風でふわふわ飛んでいくことがあるため、疾病感染を助長しない工夫が必要である。ドアノブを握る際、握った手でビニールがスポッと抜けてしまい、ドアノブが回せない又は回しずらい、ビニールでドアノブが空回りする等ないようにする。
【０００５】  薄いビニールに、ドアノブの形でビニールをドアノブ付け根でゴム輪上の留め具で固定し、視力に障害を持つ方の使用も想定し、接触して認識可能な出っ張りを設け、視覚障害者用点字を書く。ワイヤー・針金・帯など輪状固定器具等でも代用可である。切り取りミシン目を使う施設の使用者に応じ、十字型の四つ切、一字の二つ切り、ドアノブ下部とドアノブ付け根にドアノブと水平と垂直に設ける。例えば、介護施設でいえば、介護度の高い特別養護老人ホームなら、握力のより弱い高齢者が使用することを想定し、ミシン目を多く、学校など若年者で健常者のいるところなら、ミシン目をドアノブ付け根だけといった具合である。複数のビニールを被せ、且つ密着させる。最下層は、薄手の滑り止めゴム製を設け、空回りを防ぐ。そして、ドアノブ表用裏用、その他の識別用にビニールとこの最下層のゴムに色を付ければ、ドアノブ裏表、その他の介護度・高齢度・健常度別の施設別の種類のビニールカバーである目印とする。これは、介護・手術用のゴム手の手首部分を切り代用できる。回転式掴み型・Ｌ痔型ドアノブに両方に有効な構造とした。敢えて入手し易い身近な素材と構造を使用し、広く早く普及することを期待した。
【発明の概要】
【発明が解決しようとする課題】
【０００６】  不特定な接触があるドアノブを介しての、接触の低減。
【課題を解決するための手段】
【０００７】  薄いビニールに、ドアノブの形でビニールをドアノブ付け根でゴム輪上の留め具で固定し、視力に障害を持つ方の使用も想定し、接触して認識可能な出っ張りを設け、視覚障害者用点字を書く。ワイヤー・針金・帯など輪状固定器具等でも代用可である。切り取りミシン目を使う施設の使用者に応じ、十字型の四つ切、一字の二つ切り、ドアノブ下部とドアノブ付け根にドアノブと水平と垂直に設ける。例えば、介護施設でいえば、介護度の高い特別養護老人ホームなら、握力のより弱い高齢者が使用することを想定し、ミシン目を多く、学校など若年者で健常者のいるところなら、ミシン目をドアノブ付け根だけといった具合である。複数のビニールを被せ、且つ密着させる。最下層は、薄手の滑り止めゴム製を設け、空回りを防ぐ。そして、ドアノブ表用裏用、その他の識別用にビニールとこの最下層のゴムに色を付ければ、ドアノブ裏表、その他の介護度・高齢度・健常度別の施設別の種類のビニールカバーである目印とする。これは、介護・手術用のゴム手の手首部分を切り代用できる。回転式掴み型・Ｌ痔型ドアノブに両方に有効な構造とした。
【発明の効果】    ドアノブを介しての接触の低減が、図られる。これにより例えば施設などの不特定多数の人間の居住又は出入りする場所での流行性疾病の流行低減に寄与する。
【図面の簡単な説明】
【０００８】
【図１】
2014134083.tif 000003
【図２】
2014134083.tif 000004
【図１】
2014134083.tif 000005
【図２】
2014134083.tif 000006
【手続補正書】
【提出日】平成25年2月22日(2013.2.22)
【手続補正１】
【補正対象書類名】明細書
【補正対象項目名】０００８
【補正方法】変更
【補正の内容】
【０００８】
【図１】回転式掴み型ドアノブの使い捨てドアカバーを表す断面図
【図２】Ｌ字型ドアノブの使い捨てドアカバーを表す断面図  図中の符号１はドアノブ、２はビニール、３は切り取り線、４は留め具、５は視力障害者用接触確認ベロ、６は視力障害者用点字